(57)【要約】【課題】  強度的に優れたコンクリート製構造躯体を安価に且つ見栄えも良く、さらに断熱性能をも兼ね備えたものとして施工できるようにする。【解決手段】  断熱化粧板に兼用される型枠１は、厚さが３０ｍｍ以上の桐板より成り、端面に連結具３，４，５が差し込まれる連結溝２が形成されている。型枠１は、多数並べて敷設され、隣り合う型枠１及び向かい合う型枠１は、連結溝３、４，５に連結具が差し込まれることで相互に連結され、穴開けすることなく組み上げられる。組み上げられた型枠１内に生コンクリートを充填して固化させることでコンクリート層７を形成した後、型枠１を残存させて断熱化粧板として兼用する。【選択図】  図９
2020148077.tif 000002
【特許請求の範囲】
【請求項１】
厚さが３０ｍｍ以上の桐板より成るコンクリート型枠兼断熱化粧板。
【請求項２】
端面に連結具が差し込まれる連結溝が形成されていることを特徴とする請求項１記載のコンクリート型枠兼断熱化粧板。
【請求項３】
前記端面に連結溝が形成された部分において、連結溝の一方の側の板面が他方の側の板面より短くなっていて段差が形成されていることを特徴とする請求項２記載のコンクリート型枠兼断熱化粧板。
【請求項４】
方形の前記桐板より成っており、前記連結溝は方形の一辺において角に達していることを特徴とする請求項２又は３記載のコンクリート型枠兼断熱化粧板。
【請求項５】
長方形の前記桐板より成っており、前記連結溝は、長尺方向の辺に形成されていることを特徴とする請求項２、３又は４記載のコンクリート型枠兼断熱化粧板
【請求項６】
合板である前記桐板より成ることを特徴とする請求項１乃至５いずれかに記載のコンクリート型枠兼外張り断熱化粧板。
【請求項７】
コンクリート製構造躯体を備えた建築物であって、コンクリート製構造躯体は、コンクリート層と、コンクリート層を挟む一対の断熱化粧板とより成っており、断熱化粧板は厚さ３０ｍｍ以上の桐板より成るコンクリート型枠であり、コンクリート層の施工の際に型枠として使用されたものが残存された構造であることを特徴とする建築物。
【請求項８】
前記桐板より成るコンクリート型枠は、多数並べて敷設されており、隣り合うコンクリート型枠及び向かい合うコンクリート型枠は、端面に形成された連結溝に連結具が差し込まれることで相互に連結されていることを特徴とする請求項７記載の建築物。
【請求項９】
前記各コンクリート型枠は方形である前記桐板より成っており、前記連結溝は方形の一辺において角に達しており、
多数並べられたコンクリート型枠のうちの隣り合う二つのコンクリート型枠は、前記連結溝が達する角を当接させた状態となっており、
前記連結具は、当接した角にまたがった状態で当該二つコンクリート型枠を連結していることを特徴とする請求項８記載の建築物。
【請求項１０】
前記各コンクリート型枠は長方形の前記桐板より成っており、前記連結溝は長尺方向の辺に形成されており、
前記各コンクリート型枠は、長尺方向を水平方向に向けて配置されていることを特徴とする請求項９記載の建築物。
【請求項１１】
コンクリート製構造躯体形成方法であって、厚さ３０ｍｍ以上の一対の桐板より成るコンクリート型枠内に生コンクリートを充填して固化させた後、当該コンクリート型枠を残存させることを特徴とするコンクリート製構造躯体形成方法。
【請求項１２】
前記コンクリート型枠は、端面に連結溝が形成されており、コンクリートを充填して固化させる際に向かい合うコンクリート型枠同士及び隣り合うコンクリート型枠同士を連結溝に差し込んだ締結具により連結し、コンクリート型枠に穴開けすることなく型枠を組み上げてコンクリートを固化させることを特徴とする請求項１１記載のコンクリート製構造躯体形成方法。
【発明の詳細な説明】
【技術分野】
【０００１】
この出願の発明は、各種建築物の建築の際に行われるコンクリート製構造躯体の形成方法に関するものである。
【背景技術】
【０００２】
ビルやマンション等の各種建築物では、ＲＣ構造やＳＲＣ構造のように、コンクリート製構造躯体が採用されている。一般の住宅においても、洪水等の自然災害が多発する近年、コンクリート製構造躯体を採用した災害に強い家屋の建築に特に注目が集まってきている。
このようなコンクリート製構造躯体の施工に際しては、周知のように、型枠が用いられる。型枠は、通常、ベニヤ板より成る合板製である。墨出しに従って配筋をした後、型枠を組んでいき、背後からスチール製の補強材で補強する。必要に応じて型枠が離間しないように締結具で両側から締め付ける。そして、コンクリートを打設し、養生をした後、型枠を取り外すと、コンクリート製構造躯体が完成する。
【先行技術文献】
【特許文献】
【０００３】
【特許文献１】特開２００４−６０４１３号公報
【発明の概要】
【発明が解決しようとする課題】
【０００４】
このようなコンクリート製構造躯体は、在来工法や２×４（ツーバイフォー）工法のような木製の構造躯体に比べて高価であり、一般の住宅家屋においては、高級なものである。２〜３階建て程度の家屋であれば、コンクリート製構造躯体は特に必要ではないので、災害に強い構造として注目はされていても、コストを考慮して見送られることが多い。
【０００５】
コンクリート製構造躯体が高価なものになり易い一つの要因は、コンクリート製構造躯体だけでは施工は完了せず、表面に化粧板を施工したり断熱材を施工したりすることが必要になるからである。いわゆるコンクリート打ち放しの場合には、それの施工が不要にはなるが、住宅家屋では、断熱の面での居住性が悪いために断熱材が敷設され、それを覆うものとして化粧板等の施工がされる場合が多い。
【０００６】
また、コンクリート打ち放しの壁面（コンクリートが露出している壁面）を好む施主もいるが、化粧板がないからといって必ずしも施工コストが安くなる訳ではない。化粧板なしのコンクリート露出面とするには、型枠を外した際、コンクリートの表面が十分に滑らかで平坦な面となっている必要がある。例えば、コンクリートの打設が僅かでも不十分で表面に窪みがあると、強度的には全く問題がなくとも見栄えの点で施工不良とされてしまうこともある。さらに、型枠を貫通する締結具の使用はできず、また内側面に凹凸がある型枠の使用もできない。このようなことから、コンクリート打ち放しとしてのコンクリート製構造躯体の施工は、型枠工事に特に熟練や技能を要し、また手間（工数）もかかる。このため、化粧板等の材料費は削減できたとしても、人件費の点でかえって高価となってしまう場合が殆どである。
【０００７】
この出願の発明は、このようなコンクリート製構造躯体に関する課題を解決するために為されたものであり、強度的に優れたコンクリート製構造躯体を安価に且つ見栄えも良く、さらに断熱性能をも兼ね備えたものとして施工できるようにすることを目的とする。
【課題を解決するための手段】
【０００８】
上記課題を解決するため、この出願のコンクリート型枠の発明は、厚さが３０ｍｍ以上の桐板より成るコンクリート型枠兼断熱化粧板である。
また、上記課題を解決するため、コンクリート型枠兼断熱化粧板は、端面に連結具が差し込まれる連結溝が形成されているという構成を持ち得る。
また、上記課題を解決するため、コンクリート型枠兼断熱化粧板は、端面に連結溝が形成された部分において、連結溝の一方の側の板面が他方の側の板面より短くなっていて段差が形成されているという構成を持ち得る。
また、上記課題を解決するため、コンクリート型枠兼断熱化粧板は、方形の桐板より成っており、連結溝は方形の一辺において角に達しているという構成を持ち得る。
また、上記課題を解決するため、コンクリート型枠兼断熱化粧板は、長方形の桐板より成っており、連結溝は、長尺方向の辺に形成されているという構成を持ち得る。
また、上記課題を解決するため、コンクリート型枠兼断熱化粧板は、桐板の合板より成るという構成を持ち得る。
また、上記課題を解決するため、この出願の建築物の発明は、コンクリート製構造躯体を備えた建築物であって、コンクリート製構造躯体は、コンクリート層と、コンクリート層を挟む一対の断熱化粧板とより成っており、断熱化粧板は厚さ３０ｍｍ以上の桐板より成るコンクリート型枠であり、コンクリート層の施工の際に型枠として使用されたものが残存された構造である。
また、上記課題を解決するため、建築物は、桐板より成るコンクリート型枠が多数並べて敷設されており、隣り合うコンクリート型枠及び向かい合うコンクリート型枠が、端面に形成された連結溝に連結具が差し込まれることで相互に連結されているという構成を持ち得る。
また、上記課題を解決するため、建築物は、各コンクリート型枠が方形である桐板より成っており、連結溝は方形の一辺において角に達しており、多数並べられたコンクリート型枠のうちの隣り合う二つのコンクリート型枠は連結溝が達する角を当接させた状態となっており、連結具は、当接した角にまたがった状態で当該二つコンクリート型枠を連結しているという構成を持ち得る。
また、上記課題を解決するため、建築物は、コンクリート型枠が長方形の桐板より成っており、各コンクリート型枠において連結溝は長尺方向の辺に形成されており、各コンクリート型枠は長尺方向を水平方向に向けて配置されているという構成を持ち得る。
また，上記課題を解決するため、この出願のコンクリート製構造躯体形成方法の発明は、厚さ３０ｍｍ以上の一対の桐板より成るコンクリート型枠内に生コンクリートを充填して固化させた後、当該コンクリート型枠を残存させる方法である。
また、上記課題を解決するため、コンクリート製構造躯体形成方法において、コンクリート製型枠は端面に連結溝が形成されており、コンクリートを充填して固化させる際に向かい合うコンクリート型枠同士及び隣り合うコンクリート型枠同士を連結溝に差し込んだ締結具により連結し、コンクリート型枠に穴開けすることなく型枠を組み上げてコンクリートを固化させる構成が採用され得る。
【発明の効果】
【０００９】
以下に説明する通り、この出願の発明に係るコンクリート型枠兼断熱化粧板は、厚さ３０ｍｍ以上の桐板より成るので、型枠として使用された後に残存させることで、断熱材及び化粧板として特に効果的に機能する。また、型枠としても、厚さが３０ｍｍであるので、サイズを小さくする必要はなく、連結箇所が多くなって施工に手間がかかる問題はない。
このような型枠を使用してコンクリート層を形成し、型枠を残存させた建築物やコンクリート製構造躯体形成方法によれば、断熱材や化粧板を別途施工することが不要になるので、トータルの建築費を安くすることができる。桐製の化粧板は特に高級感があり、見栄えの点でも特に好適となる。
また、コンクリート型枠に穴開けすることなく型枠を組み上げてコンクリートを固化させるコンクリート製構造躯体形成方法によれば、残存させる型枠の化粧板としての機能が損なわれることがないので、この点でさらに好適となる。
また、端面に連結具が差し込まれる連結溝が形成されていると、連結具の装着が容易になり、型枠の組み上げを短期間に完了させることができるようになる。また、型枠に貫通孔を開けて連結具を装着するような作業も不要にすることができるので、化粧板としての型枠の効果が損なわれてしまうこともない。
また、端面に連結溝が形成された部分において、連結溝の一方の側の板面が他方の側の板面より短くなっていて段差が形成されていると、向かい合う型枠を連結する連結具が型枠に干渉することがなくなる。このため、上下に隣接する型枠が連結具のために離間してしまうことがなく、型枠としての機能が損なわれたり、断熱板や化粧板としての機能が損なわれたりすることもなくなる。
また、連結溝は方形の一辺において角に達していると、当該角を当接させて二つの型枠を並べ、当接した角にまたがった状態で連結具を装着することができる。このため、隣り合う二つの型枠を角の部分で連結することができるようになる。
また、連結溝が長尺方向の辺に形成されていると、長尺方向を水平方向にして各型枠を並べることで、高さ方向の途中の箇所での連結を不要することができる。このため、施工がさらに容易になる。
また、型枠が、合板である桐板より成るものであると、反りのない型枠とすることが容易であるので、コスト的に有利であり、また品質の良いコンクリート製構造躯体を形成することができる。
【図面の簡単な説明】
【００１０】
【図１】実施形態に係るコンクリート型枠兼断熱化粧板の概略図である。
【図２】図１のコンクリート型枠兼断熱化粧板の斜視概略図である。
【図３】実施形態の型枠の組み上げの際に使用される連結具の斜視概略図である。
【図４】実施形態の型枠の組み上げについて示した概略図である。
【図５】実施形態の型枠の組み上げについて示した概略図である。
【図６】実施形態の型枠の組み上げについて示した概略図である。
【図７】実施形態の型枠の組み上げについて示した概略図である。
【図８】側部の端面に対して第一の連結具を装着する様子を示した概略図である。
【図９】実施形態の建築物の主要部を示した概略図である。
【図１０】段部やコーナー部における型枠の組み上げについて示した平面概略図である。
【発明を実施するための形態】
【００１１】
次に、この出願の発明を実施するための形態（実施形態）について説明する。
図１は、実施形態に係るコンクリート型枠兼断熱化粧板の概略図である。このうち、図１（１）正面概略図、（２）は側断面概略図である。また、図２は、図１に示すコンクリート型枠兼断熱化粧板の斜視概略図である。
図１及び図２に示すように、実施形態のコンクリート型枠兼断熱化粧板（以下、型枠と略称する。）１は、全体の形状としては方形（より具体的には長方形）の板状である。実施形態の型枠１は、木材のうちでも特に桐製となっている。即ち、実施形態の型枠１は桐板より成っている。構造的には合板構造となっており、薄い桐板を２枚から３枚程度重ね合わせ、接着材で接着した構造を有する。一枚の桐板の厚さは１０ｍｍ〜２０ｍｍ程度であり、全体の厚さは、３０ｍｍ〜５０ｍｍ程度である。尚、接着材としては、ユリア樹脂系接着材又はイソシアネート系接着材が使用されている。
【００１２】
桐板より成る型枠１の表面及び裏面は、鉋がけや研磨仕上げにより十分に滑らかで平坦性を持ったものとなっている。実施形態の型枠１は、後述するように一対のものを向かい合わせて配置し、その間に生コンクリートを充填して固化させる。以下、説明の都合上、生コンクリートが充填される側（向かい合っている内側）の面１１を内側面と呼び、それとは反対側の面１２を外側面と呼ぶ。
【００１３】
図１及び図２に示すように、型枠１の端面には連結溝２が形成されている。連結溝２は、型枠１の組み上げの際、型枠１を相互に連結するための形状である。この実施形態では、長尺方向の二つの辺に沿った各端面及び短尺方向の二つの辺に沿った各端面に（即ち、全周状に）連結溝２が設けられている。各連結溝２は。当該方向の辺の全長に亘っている。
【００１４】
型枠１は、後述するように、連結溝２に連結具を差し込むことで組み上げられる。したがって、連結溝２の幅は連結具の差し込み部分の厚みによるが、連結溝２の幅を大きくすると強度が低下するので、あまり大きくすることは好ましくない。逆に、連結溝２の幅が狭すぎると、連結具の差し込み部分を薄くせざるを得ず、連結具の強度が低下する。これらを考慮すると、連結溝２の幅は１ｍｍ以上５ｍｍ以下、より好ましくは２ｍｍ以上４ｍｍ以下とされる。連結溝２の深さについても、連結具の差し込み部分の長さによるが、あまり深いと型枠１の強度が低下し、浅いと連結具の強度が低下する。したがって、連結溝２の深さは２０〜４０ｍｍ程度、より好ましくは２５〜３５ｍｍ程度とされる。
尚、図１（２）に示すように、連結溝２は、型枠１の板厚方向の中央に形成されている。但し、外側面１２の側に寄った位置に連結溝２が設けられていても良い。後述するように連結具が装着されて生コンクリートの固化に利用される際、連結溝２よりも内側の部分に大きな力が加わるので、どちらかというと、この部分を肉厚にすることが好ましいからである。各小連結溝２１も、板圧方向の中央に形成されている。
【００１５】
また、図１（２）に示すように、型枠１は、外側面１２の大きさと内側面１１の大きさとが僅かに異なっている。即ち、型枠１は、方形の一辺において内側面１１が短くなっており、段差１３が形成されている。以下、四辺のうち段差１３が形成されている辺を段差形成辺という。段差１３の大きさ（図１（２）にｄで示す）は、１〜３ｍｍ程度（例えば２ｍｍ）と小さい。この段差１３も、連結具を装着するための形状である。尚、段差１３は、型枠１の下縁部分のみであり、両側縁及び上縁においては形成されていない。後述するように、型枠１は、段差形成辺部を下又は上に向けた状態で配設される。
【００１６】
次に、このような実施形態の型枠１の組み上げに使用される連結具について説明する。図３は、実施形態の型枠１の組み上げの際に使用される連結具の斜視概略図である。
図３に示すように、この実施形態では、三種類の異なる形状の連結具３〜５が使用される。図３（１）には、第一の連結具３が示されている。第一の連結具３は、図３（１）に示すように、長方形の板状部材である。第一の連結具３は、上下又は左右に面一に並べられた型枠１同士を連結するものである。厚さは、前述した連結溝２の幅に一致するか、もしくはそれより僅かに薄い程度である。長さは、連結溝２の長さ（板の長尺方向、短尺方向の各長さ）よりも少し短い程度である。第一の連結具３は、材質としては木製でも良いし、アルミのような金属製でも良い。木製の場合、同様に桐製でも良いが、白樺のような他の木材である場合もあり得る。
【００１７】
図３（２）には、第二の連結具４が示され、図３（３）には第三の連結具５が示されている。これらの連結具４，５は、向かい合う型枠１同士の連結の機能も有するものとなっている。
第二第三の連結具５は、溶接や折り曲げ加工等で形成するので、アルミのような金属製となっている。
【００１８】
図３（２）に示すように、第二の連結具４は、細長い帯板状の主部４１と、主部４１の両端に設けられた係合部４２とから成る形状である。係合部４２は、主部４１に対して垂直に上側に延びる上突出片４３と、垂直に下側に延びる下突出片４４とを有している。図３（２）から解るように、上突出片４３は、一対の長方形の部位となっており、両者は、主部４１の幅より少し大きな幅で離間している。また、下突出片４４は、下方に延びる方形の部位である。このような形状は、左右の係合部４２において同一（左右対称）である。
【００１９】
また、主部４１にも、下側に少し突出した部位（以下、下突条部）４５が形成されている。下突条部４５は、主部４１の幅方向の中央において線状にプレス加工して形成した部位となっている。
図３（３）に示すように、第三の連結具５も、主部５１の両側に係合部を設けた形状となっている。各係合部は、主部に対して垂直に延びる方形の部位５３である。以下、この部位５３を、垂直片と言い換える。
【００２０】
次に、このような型枠１及び連結具を使用したコンクリート構造躯体形成方法について説明する。以下の説明は、コンクリート製構造躯体形成方法の発明の実施形態についての説明でもある。
図４〜図７は、実施形態の型枠１の組み上げについて示した概略図である。以下、説明は、実施形態のコンクリート構造躯体形成方法の一部を成す型枠工事の説明でもある。
【００２１】
型枠工事としての型枠１の組み上げは、墨出しにより目印をされた箇所に型枠１を組み上げる工事である。実施形態の型枠１を使用する場合、基礎に対して墨出しされた箇所に、まず第三の連結具５の固定を行う。第三の連結具５は、基礎に対してコンクリート釘５０により釘打ちされて固定される。第三の連結具５は、図４（１）に示すように、間隔をおいて墨出しのラインＬに沿って固定される。各第三の連結具５は、垂直片５３が上に突出した姿勢とされる。
第三の連結具５を固定する間隔は、型枠１の幅に応じた間隔とされる。例えば、型枠１の幅が図１（１）に示すようにｗであったとすると、第三の連結具５の固定間隔もｗとしたり、ｗ／２としたり、ｗ／３としたりされる。ｗより長くなることは基本的にない。
【００２２】
次に、固定された各第三の連結具５に対して、型枠１を装着する。即ち、図４（２）に示すように、第三の連結具５の両側の垂直片５３が各型枠１の段差形成辺部の連結溝２に差し込まれた状態として各型枠１を立てて配設する。型枠１は、墨出しのラインＬに沿って水平方向に並べられる他、第三の連結具５の両側の上突出片４３に対して装着されるから、第三の連結具５の長さの分だけ隔てて各型枠１が向かい合った状態となる。各型枠１は、各内側面１１が向かい合った状態とされる。
尚、型枠１の配設の際、隣り合う二つの型枠１は互いの側辺部を付き合わせてそのまま下降させ、突き合わせ部分に第三の連結具５の垂直片５３が差し込まれるようにする。つまり、垂直片５３は隣り合う二つの型枠１の連結の作用も果たすよう施工が行われる。
【００２３】
墨出しのラインＬに沿って水平方向に全ての位置に型枠１を配設したら、次に、二段目の型枠１の配設を行う。まず、図５に示すように、第一の連結具３及び第二の連結具４を装着する。第一の連結具３は、長尺方向を水平方向にして連結溝２に差し込む。第一の連結具３の幅（短尺方向の長さ）は、連結溝２の深さのちょうど半分となっており、第一の連結具３は、半分の幅で露出する。第二の連結具４については、図５に示すように、向かい合う型枠１の上辺部の連結溝２に対し、各下突出片４４を差し込むことで装着する。両側の下突出片４４の離間距離は、向かい合う型枠１の連結溝２間の距離となるように各第二の連結具４が製作されている。つまり、コンクリート製構造躯体の設計情報に従って各第二の連結具４が製作され、施工場所に持ち込まれて使用される。
【００２４】
第一の連結具３及び第二の連結具４は、水平方向において適宜の間隔をおいて多数装着される。この際、隣り合う二つの型枠１の上辺部の突き合わせ箇所には、第一の連結具３か第二の連結具４が必ず差し込まれる。この部分に装着された連結具３，４が、隣り合う型枠１同士の連結の作用も果たす。
【００２５】
その後、図６に示すように、二段目の型枠１の配設が行われる。二段目の型枠１も、段差形成辺部を下方に向け、各第一の連結具３及び各第二の連結具４が連結溝２に差し込まれた状態として各型枠１を配設する。一段目において、隣り合う型枠１の上辺部の突き合わせ部分に装着された各連結具３，４は、その上で隣り合う二つの型枠１の連結の作用も果たすから、この部分の各連結具３，４は、上下左右四つの型枠１を相互に連結することになる。第二の連結具４がこの箇所に装着された場合、両側で計八つの型枠１を相互に連結することになる。
【００２６】
このような工程を繰り返し、三段目、四段目と、必要な高さまで各型枠１を配設する。各型枠１は、上下左右に敷設されているとともに、内側面１１を向かい合わせて一対の型枠１群を配設する。
最上段については、下側とは若干異なる形状の型枠１が使用される。即ち、最上段については、長尺方向の二つの辺に段差１３が形成されているものを使用する。配設の仕方は、同様である。最上段の各型枠１の配設が終わったら、図７に示すように、最上段の各型枠１の上辺部に対して第三の連結具５を装着する。この際、垂直片５３を下方に向け、連結溝２に差し込む。これで、型枠１の組み上げは完了である。
【００２７】
図４〜図７には、型枠１の組み上げのみが示されているが、ＲＣ構造のコンクリート製構造躯体を形成する場合、配筋が併せて行われる。まず、縦筋を基礎に対して打ち込み、縦筋を支えにして横筋を固定していく。型枠１の組み上げは、通常、配筋をした後に行われる。配筋、型枠１の組み上げをした後、生コンクリートを打設し、養生を行うと、コンクリート製構造躯体が完成する。
【００２８】
説明を省略したが、型枠１の側部の端面についても第一の連結具３が装着される。図８は、側部の端面に対して第一の連結具３を装着する様子を示した概略図である。
側部の端面については、図８に示すように、型枠１の高さにほぼ相当する長さの第一の連結具３を使用して連結を行う。この場合も、第二の連結具４や第三の連結具５における係合部４２，５２の高さの分だけは短い長さとなる。このような第一の連結具３を使用して側部についても連結すると、さらに連結強度が高められるので、好適である。
【００２９】
図９は、このようにして施工されるコンクリート製構造躯体の概略図である。図９（１）は正面図、図９（２）は、側断面概略図である。実施形態の建築物は、図９に示すようなコンクリート製構造躯体を備えている。したがって、図９は、実施形態の建築物の主要部を示した概略図である。
図９に示すように、実施形態の建築物では、生コンクリートの固化後も型枠１を残存させる。即ち、コンクリート製構造躯体は、コンクリート層６と、コンクリート層６の両側に配置された型枠１と、各連結具３〜５とより成っている。各連結具３〜５は、施工後においても、構造躯体を補強する作用を持つ。尚、図９（２）に示すように、各型枠１の段差１３の部分には、第二の連結具４又は第三の連結具５が位置する。即ち、段差１３は、第二の連結具４、第三の連結具５の干渉を防止するための構造である。また、第二の連結具４は、下突条部４５を備えているが、この形状は、コンクリート層６に対する食い込みを強化し、より強度を高める作用を有している。
【００３０】
このように残存させた型枠１は、断熱材及び化粧板として機能する。即ち、実施形態の型枠１は、桐製であり、厚さが３０ｍｍ以上であるので、断熱材として好適に機能する。桐自体に断熱効果があることは知られているが、発明者の研究によると、厚さが３０ｍｍ以上の桐板は、外張り又は内張りの断熱材として有効に機能する。特に実施形態の型枠１は、両側に桐製の型枠１が残存しているので、内外の両張り断熱構造であるといえる。このため、格段の断熱性能を示す。
【００３１】
また、厚さが３０ｍｍ以上であることは、型枠１としての強度を確保する上でも好適となっている。厚さが３０ｍｍ未満であっても、一つの型枠１のサイズを小さくしたり、組み上げの際に外側に補強部材を設けて補強したりすることで、コンクリート型枠１として使用することができる。しかしながら、サイズを小さくすると、連結箇所が多くなって施工に手間がかかる問題があるし、外側から補強すると、補強の手間やコストがかかる上、補強部材が型枠１の外側面１２に当接するので、外側面１２に傷などが付きやすくなる問題がある。したがって、これらの問題がない点で、３０ｍｍ以上の厚さとしておくことに大きなメリットがある。
【００３２】
さらに、桐板より成る型枠１は、そのまま化粧板として使用できる。高級家具の材料として周知である桐は、そのままで高級感があり、住宅家屋を始めとする各種建築物に化粧板として使用されると、ハイグレードな印象を強く与える。桐は、時間が経つと変色することで知られているが、この変色も、住宅家屋の外壁や内壁、天井等では、素材を活かした意匠として、趣のある印象をもたらす。
尚、型枠１が化粧板として残存するということは、コンクリート層６の表面が露出する訳ではないので、コンクリート層６の施工についてそれほど気をつかわなくて良いというメリットもある。コンクリート層６が露出する場合には問題とされ得る僅かな凹みも型枠１が化粧板として残存するので、問題となることはない。このため、コンクリート層６の施工についてもそれほどの熟練は要しない。
さらに、桐は、耐火性が高いことでも知れられている。したがって、化粧板としての型枠１は、そのまま防火壁として機能する。防火性能をさらに高めるため、外側面１２に防火塗料を塗布しても良い。例えば、有機成分とガラス成分を混合して木材用のコーティング剤とした塗料を塗布して防火性を高める構成が挙げられる。
【００３３】
実施形態の型枠１において、端面に連結具３〜５が差し込まれる連結溝２が形成されている点は、連結具３〜５の装着を容易にし、型枠１の組み上げを短期間に完了させることができるようにする意義がある。型枠１の連結構造としては、溝に対して差し込むタイプの連結具ではなく、両側から挟み込んで連結する機構でも良い。但し、このような機構は、連結に手間がかかり、熟練を要する欠点がある。また、外側面１２が傷付いてしまうと化粧板としての効果が損なわれてしまうので、最新の注意を払う必要があるが、差し込みタイプの連結具３〜５の場合、このような問題はない。
【００３４】
尚、端面に連結溝２が形成されている点は、連結具３〜５が外側から視認されてないようにすることができるので、さらに見栄えの良い仕上がりとすることができるようになる。この際、連結溝２の部分で段差１３が形成されていて内側面１１が短くなっていると、向かい合う型枠１を連結する連結具３〜５が型枠１に干渉することがなくなる。段差１３がないと、上下に隣接する型枠１が連結具３〜５の部分で離間してしまうことになる。この構造でも良いが、離間部分で型枠１としての機能が損なわれてしまう恐れがあり、また施工後も断熱板や化粧板としての機能が損なわれてしまうことがあり得る。段差１３があれば、上下に隣接する型枠１が離間してしまうことはないので、このような問題はない。
【００３５】
また、上記構造は、連結溝２は方形の一辺において角に達している構造である。このような構造だと、図２に示すように、当該角を当接させて二つの型枠１を並べ、当接した角にまたがった状態で連結具３〜５を装着することができる。このため、隣り合う二つの型枠１を角の部分で連結することができるようになる。つまり、一辺における連結で、上下の連結に加えて左右の連結も行えるようになる。このため、連結構造がシンプルになり、施工も短期間に完了する。
【００３６】
尚、横方向の型枠１の連結は、上辺部及び下辺部の突き合わせ部分に装着された連結具３〜５でのみ行うことも可能である。この構造は、施工がし易いというメリットがあるが、一つの型枠１の高さが高くなると、高さ方向で連結強度が不足する恐れもある。したがって、一つの型枠１について高さを高くする場合には、高さ方向の途中の位置に連結具３〜５が装着される構造を採用すると好適である。例えば、各型枠１の側辺部の同じ高さの位置に連結孔を形成しておき、その孔に連結ピンを差し込むことで両者を連結する構造が考えられる。尚、図９（１）に示すように、各型枠１が横長の長方形である点は、高さ方向において強度が不足することがなく、上記のような高さ途中での連結構造を不要にする意義がある。即ち、高さ途中での連結が不要なので、この部分のコストが削減でき、また工数も少なくなる。
【００３７】
さらに、型枠１は、合板である桐板より成るものであるので、反りのない型枠１とすることが容易で、安価に入手できる。このため、コスト的に有利であり、また品質の良いコンクリート製構造躯体を形成するのに役立つ。
敷設された各型枠１の境界部分（目地）には、適宜の目地材、コーキング等が施工されることもある。また、各型枠１の端面同士を接着材で固定する場合もあり得る。
尚、図９では、縦横４個×４個で計１６個の型枠１が使用されているが、これは図示の都合上であり、実際にはもっと多い数の型枠１が使用される。
【００３８】
また、連結溝２は、一つの辺において連続した一本の溝ではなく、複数の小さい連結溝（以下、小口連結溝）が一列に並んだ構造であっても良い。この場合、各小口連結溝に小さなプレート状の連結具を差し込んで二つの型枠１を連結することができる。即ち、プレート状の連結具の一方の側が一方の型枠１の小口連結溝に差し込まれ、他方の側が他方の型枠１の対応する位置の小口連結溝に差し込まれる。プレート状の連結具は、全ての小口連結溝に対して差し込まれて良いし、選択された１個又は複数個の小口連結溝に差し込まれても良い。
【００３９】
図１０は、段部やコーナー部における型枠の組み上げについて示した平面概略図である。図１０に示すように、コーナー部については、予め接着や釘打ち等により直角を成すように組み立てた型枠１０を使用する。係合部分がＬ字に曲げられた連結具を用意し、直角を成す部分を橋渡しをするような連結具が使用されることもある。９０度以外の角度のコーナー部についても、当該角度に合わせて型枠を組み立てておくことで同様に施工できる。  また、コンクリート層６の端部については、一対の型枠１が向かい合っている空間を塞ぐようにして幅の短い端部用型枠１００を連結する。端部用型枠１００については、板の厚さ方向が深さ方向になるように連結溝を形成し、そこに対して連結具１０１を装着して連結する。この部分の連結具１０１については、例えば接着材で接着して強度を高めた構造とし抜けないようにする。接着材により接着は、他の連結具３〜５において採用しても良い。
【００４０】
尚、連結溝２については、必ずしも細長い形状である必要はなく、円形の穴であったり、方形の穴であったりする場合もある。
また、各型枠１は長方形である場合が多いが、正方形でもよい。この他、型枠１は、菱形、平行四辺形、三角形等であり得る。
尚、型枠１を使用したコンクリート製構造躯体は、階段部分や屋根部分についても採用され得る。屋根部分については、残存させた型枠１に対して防水施工が行われる。
【符号の説明】
【００４１】
１  型枠
２  連結溝
３  第一の連結具
４  第二の連結具
５  第三の連結具
６  コンクリート層
【図１】
2020148077.tif 000003
【図２】
2020148077.tif 000004
【図３】
2020148077.tif 000005
【図４】
2020148077.tif 000006
【図５】
2020148077.tif 000007
【図６】
2020148077.tif 000008
【図７】
2020148077.tif 000009
【図８】
2020148077.tif 000010
【図９】
2020148077.tif 000011
【図１０】
2020148077.tif 000012